(57)【要約】【課題】従来技術によれば、除湿乾燥機本体を一体として組込んだ製品であり、防水性に優れておらず、内部の清掃が困難であつた。また、冷凍サイクル及びコンデンス式家庭用除湿機を、利用して気密性の高い乾燥室内で運転させると乾燥室内の温度上昇により、除湿機内部の電気的保護回路が働き運転を停止してしまう。【解決手段】本発明は上記課題を解決すべく、壁パネル、天井パネル、床防水パン等をユニットとして構成しフレームを用いて結合し、また、乾燥室内部にコンセントを設け、床防水パンに排水接続パンを取り付け家庭用除湿乾燥機の排水を直接排水出来るようにし、また、温度センサー付き排気ファン及び吸気口を付ける事により、乾燥室内部の温度上昇を防ぐ事にしたものである。【選択図】  図１
2004283380.tif 000002
【特許請求の範囲】
【請求項１】
洗濯物の出し入れを行うための開閉部を有する乾燥室を、天井パネル，壁パネル、床防水パン等を、防水・溌水性の高い素材で構成されたユニットを、フレームを用いて結合させ、ジョイント部分をシリコンコーキングし、更に、上記乾燥室内、下部に、家庭用除湿乾燥機を設置出来る事を特徴とする、ユニット型組立式衣類乾燥室。
【請求項２】
前記乾燥室内に電源受け口（コンセント）及び排水接続トラップを設け、家庭用除湿乾燥機と排水接続トラップをパイプで接続する事を特徴とする、特許請求範囲第１項記載のユニット型組立式衣類乾燥室。
【請求項３】
前記乾燥室内、天井面に循環ファンを設け、また、温度センサー付き排気ファン、及び、吸気口を取り付けた事を特徴とする、特許請求範囲第１項記載のユニット型組立式衣類乾燥室。
【請求項４】
前記衣類乾燥室内に、給水口（カラン）及び、手洗い・洗濯用流しを設けた事を特徴とする、特許請求範囲第１項記載のユニット型組立式衣類乾燥室。
【発明の詳細な説明】
【０００１】
【発明の属する技術分野】
この発明は、ユニット型組立式衣類乾燥室に関する。
【０００２】
【従来の技術】
従来の衣類乾燥機は、図６に示す様に熱交換器部５６、ヒーター部６４、ファン部５９等を構成する機器部を乾燥室内下部本体に内蔵しており、又これらを一体の機器とした物であり、内部清掃、手入れ時には、内部機器類を取り外すことが必要であり、水洗いは困難であった。尚この種の従来例には、特開平１０−３０５１９２号等がある。また、冷凍サイクル及びコンデンス式を備えた除湿機乾燥機を下部に設置しその上部をカバーで覆い簡易な乾燥室を備えた物は、乾燥室内の温度上昇により除湿乾燥機本体の保護回路が働き運転を停止する事を防ぐために乾燥室下部を開放しておく必要があり、気密性がなく、除湿乾燥機の能力を衣類乾燥に十分活用されていなかった。尚この種の従来例は、特開２００１−３３４１００号等がある。また、実開平６−３８８９６号等にある乾燥装置も機器組込み一体型となっているため、取り外しも容易でなく、乾燥室内を水洗いできず、防水性を持っているとはいえない。
【０００３】
【発明が解決しようとする課題】
しかしながら以上の従来技術によれば、除湿乾燥機を本体に組み込んだ一体型の製品であり、防水性がなく内部の掃除が困難であった。また、冷凍サイクル及びコンデンス式除湿機を利用して構成する除湿乾燥機は、乾燥室内の室温が４０度以上になると機器内部保護回路が働き運転を停止するように設計されている。すなわち、既存のコンプレッサー式及びコンデンス式、家庭用除湿乾燥機を密閉室内に設置すると長時間の運転により室温の上昇をまねき運転を停止してしまう。また、除湿乾燥機内に貯水された水も、満水になるごとに水を別の場所に捨てに行かなくてはならなかった。従ってこれらを解決する必要があった。
【０００４】
【課題を解決するための手段】
この目的を達成するために、本発明の請求項１に記載のユニット型組立式除湿乾燥室は、天井パネル、壁パネル、床防水パンを防水、溌水性の高い素材（塩ビ鋼鈑製パネル，及びＦＲＰ材等）をフレームを用いて結合させジョイント部をシリコンコーキングする事で、防水性、気密性を高め、家庭用除湿乾燥機を簡便に設置、または、取外し出来る様にする事で、乾燥室内部を、水洗い出来る事を技術とする、ユニット型組立式衣類乾燥室である。
【０００５】
また請求項２の発明は、コンセント及び排水接続トラップを設ける事により、家庭用除湿乾燥機を簡便に設置、または取り外し出来るようにし、家庭用除湿機と排水接続トラップをパイプで接続する事により、家庭用除湿機内に貯水された水を直接排水でき、水捨ての手間がかからない様にする事を技術とする、ユニット型組立式衣類乾燥室である。
【０００６】
また請求項３の発明は、天井面に循環ファンを設け乾燥室内の空気を対流させムラ無く衣類を乾燥させる事が出来、また、温度センサー付き排気ファンを天井面に設置し、入口扉下部に吸気口を設ける事により乾燥室外部と乾燥室内部の空気を循環させる事で乾燥室内の温度上昇を抑える事を技術とする、ユニット型組立式衣類乾燥室である。
【０００７】
また請求項４の発明は、照明器具、給水口、手洗い・洗濯用流しを設け、排水を接続トラップに接続する事により乾燥室内での手洗い及び洗濯を可能にした事を技術とするユニット型組立式衣類乾燥室である。
【０００８】
【発明の実施の形態】
以下、本発明の実施の形態について図面を参照して説明する。
【０００９】
【実施例】
図１は、本実施の形態のユニット型組立式衣類乾燥室の構成をしめす断面図であり、図２は壁パネル、天井パネル、床防水パンとフレームの組立斜視図であり、図３は、壁パネル及び入口扉とフレームの結合部の横断面図であり、図４は、家庭用除湿乾燥機運転中の乾燥室内の空気の流れを示す、図５は、温度センサー付き排気ファンの運転中の乾燥室内の空気の流れを示す。尚各図において、向かって左方向が本乾燥室の前方部を、右方向が後方部をそれぞれ表している。
【００１０】
本実施の形態のユニット型組立式衣類乾燥室は、被乾燥物である衣類等を収納し乾燥させるための乾燥室１６を壁パネル１、天井パネル２、床防水パン３、入口扉１７をフレーム１８で接続結合させジョイント部を、シリコンコーキング２０し、下部に家庭用除湿乾燥機８設置して、プラグコード１４をコンセント（防水タイプ）７に差込、また、上記家庭用除湿機８より排水パイプ１０にて排水接続パン４に接続する事により構成する。
【００１１】
乾燥室３内部に物干し棒１１が物干し棒取り付用可動式レール９により左右に掛け渡されており、洗濯物２１はハンガー２２に掛けられた状態で前記物干し棒１１に吊るされる。
【００１２】
乾燥室１６内部、壁パネル１に照明器具１２を取り付けている。
【００１３】
乾燥室１６内部、天井パネル２に、循環ファン５を設置し乾燥室内の空気を対流させる。
【００１４】
乾燥室１６内部、天井パネル２に、温度センサー付き排気ファン６を設置し、乾燥室１６内の室内温度が一定温度以上になると温度センサーの感知により、自動運転し、室内空気を入口扉１７下部の吸気口４０より入る外部空気と循環させる事により、乾燥室１６内部の温度上昇を防ぐ。
【００１５】
乾燥室１６外面に循環ファン及び温度センサー付き排気ファン及び照明器具の操作パネル２３が設置されている。
【００１６】
乾燥室１６内部、壁パネル１にコンセント７（防水タイプ）を設け家庭用除湿乾燥機８の電源プラグを差し込むことが出来る。
【００１７】
乾燥室１６下部、床防水パン３に排水接続パン４を取り付け家庭用除湿乾燥機８内部のドレン引出し口よりドレンホース１０にて排水接続パン４に接続する。
【００１８】
乾燥室１６内部、壁パネル１に給水口１３（給水カラン）を設け既存水道設備と接続する事により、本実施の形態のユニット型組立式衣類乾燥室内へ水及びお湯を給水する事を可能にした。また給水口１３の下に、手洗い・洗濯用流し１５を壁パネル１に固定しトラップ型排水パイプ１９を介し排水接続パン４１に接続することで給水口１３より給水された水を排水する事を可能にした。また排水接続パン４１より延びる配水管２４は既存排水設備に接続するものとする。
【００１９】
尚、本発明は以上詳述した各実施の形態に限定されるものではなく、その要旨を逸脱しない範囲において、種種の変更を加える事ができる。
【００２０】
例えば、前記各実施の形態では、排水接続トラップの形状は図１では横引き配管用であるがどのような形状でも防水性及び臭気が上がらなけらばよく、また、照明器具、コンセント、循環ファン、温度センサー付き排気ファン、手洗い・洗濯用流し、も機能を満たせば形状に囚われることはない。
【００２１】
【発明の効果】
以上説明したことから明らかなように、本発明の請求項１に記載のユニット型組立式衣類乾燥室は、天井パネル、壁パネル、床防水パン、等を、防水・溌水性の高い素材でユニットを形成しそれらをフレームを用いて結合しジョイント部をシリコンコーキングすることで、防水性能を持たせ、略気密状態にし、家庭用除湿乾燥機を簡便に設置または取り外しが出来る様にする事で、乾燥室内部を水洗いでき、カビ、悪臭の発性を防ぎ易くすると共に、日常の手入れを簡単にする事が出来る。
【００２２】
また、請求項２に記載のユニット型組立式衣類乾燥室は、乾燥室内にコンセント及び排水接続トラップを設ける事により、家庭用除湿乾燥機を簡便に設置、または、取り外しができ、排水の処理も家庭用除湿乾燥機と排水接続トラップとを排水パイプで接続する事により排水の手間もかからず、家庭用除湿乾燥機を利用する事により、低コストで提供できる。
【００２３】
また、請求項３に記載のユニット型組立式衣類乾燥機は、乾燥室天井面に循環ファンを設け、室内の空気を対流させ、ムラ無く衣類等を乾燥させる事が出来る。また、温度センサー付き排気ファン及び吸気口を設けることにより、乾燥室の外部空気と乾燥室の内部空気を循環する事により乾燥室内の温度上昇を抑える事ができ、家庭用除湿乾燥機の補償温度を心配する事なく、衣類乾燥室として利用できる。
【００２４】
また、請求項４に記載のユニット型組立式衣類乾燥機は、乾燥室内に照明器具、給水口及び手洗い、洗濯用流しを設け、乾燥室内での手洗い及び洗濯をする事が出来る。
【図面の簡単な説明】
【図１】本発明の実施の形態のユニット型組立式衣類乾燥機の構成を示す断面図である。
【図２】壁パネル、天井パネル、床防水パンとフレームの組立斜視図である。
【図３】壁パネル、及び、入口扉とフレームとの結合部、横断面図である。
【図４】循環ファン運転時の除湿空気の流れを示す。
【図５】センサー付き排気ファン運転時の空気の流れを示す。
【図６】本発明の他の実施の形態の衣類乾燥室の構成を示す断面図である。
【符号の説明】
１  壁パネル
２  天井パネル
３  床防水パン
４  排水接続トラップ
５  循環ファン
６  温度センサー付き排気ファン
７  電源受け口（コンセント、防水タイプ）
８  家庭用除湿乾燥機
９  物干し棒取り付け用可動レール
１０  排水パイプ
１１  物干し棒
１２  照明器具（防水タイプ）
１３  給水口
１４  プラグコード
１５  手洗い・洗濯流し
１６  乾燥室
１７  入口扉
１８  フレーム
１９  トラップ型排水パイプ
２１  洗濯物
２２  ハンガー
２３  操作パネル
２４  排水パイプ
４０  吸気口
５６  熱交換部
５９  ファン部
６４  ヒーター部
【図１】
2004283380.tif 000003
【図２】
2004283380.tif 000004
【図３】
2004283380.tif 000005
【図４】
2004283380.tif 000006
【図５】
2004283380.tif 000007
【図６】
2004283380.tif 000008